(57)【要約】      （修正有）【課題】取付けが容易で、かつ材料費や取付費を軽減し、交通事故や自転車転倒のおそれをできるだけ減少し、さらに自転車を保管する時はバックミラーを外側に突出させたままにしないバックミラー付き自転車を提供する。【解決手段】自転車１の買物カゴ３の右側面と左側面との１方又は双方にバックミラー４を自転車の前後方向から左右方向に開閉自在に取付けたバックミラー付き自転車である。【選択図】図１
0003145943.tif 000002
【実用新案登録請求の範囲】
【請求項１】
自転車のハンドルの前であるとともに自転車の前輪の上方に買物カゴを設けてなる買物カゴ付き自転車において、該自転車の買物カゴの右側面と左側面との１方又は双方にバックミラーを自転車の前後方向から左右方向に開閉自在に取付けてなるバックミラー付き自転車。
【請求項２】
バックミラーが、バックミラーの周囲縁部に夜光塗料の塗布部又は夜光塗料塗布テープの貼付部を設けてなる請求項１記載のバックミラー付き自転車。
【請求項３】
自転車のハンドルの前であるとともに自転車の前輪の上方に買物カゴを設けてなる買物カゴ付き自転車において、該自転車の買物カゴの右側面と左側面との１方又は双方に、バックミラーを内側に有する外枠を、自転車の前後方向から左右方向に開閉自在に取付けるとともに該外枠の内側に有するバックミラーを、自転車の前後方向に回転自在に取付けてなるバックミラー付き自転車。
【請求項４】
外枠が、外枠の周囲縁部に夜光塗料の塗布部又は夜光塗料塗布テープの貼付部を設けてなる請求項３記載のバックミラー付き自転車。
【請求項５】
バックミラーを内側に有する外枠が、外枠の上下中央で左右両側にボルト孔をそれぞれ設け、該両側のボルト孔に１本のボルトを挿入してボルトの先端をナットで支着するとともに該ボルトの軸部をバックミラーの裏面に止着してバックミラーを、前後方向に回転自在に取付けてなる請求項３又は４記載のバックミラー付き自転車。
【請求項６】
バックミラーを内側に有する外枠が、外枠の上下中央で左右両側に回転用軸受溝をそれぞれ設け、該両側の回転用軸受溝に、バックミラーの上下中央で左右両側に有する回転用軸を、それぞれ挿入してバックミラーを、前後方向に回転自在に取付けてなる請求項３又は４記載のバックミラー付き自転車。
【請求項７】
バックミラーが、バックミラーの上部中央に停止用ボルトを設けるとともに外枠の上部中央で前後方向に所定の長さのボルト案内孔を設けて、該停止用ボルトのネジ部を外枠のボルト案内孔に挿入してバックミラーの角度調整自在に取付けてなる請求項２，３又は４記載のバックミラー付き自転車。
【請求項８】
バックミラーが、バックミラーの下部中央に停止用ボルトを設けるとともに外枠の下部中央で前後方向に所定の長さのボルト案内孔を設けて、該停止用ボルトのネジ部をボルト案内孔に挿入してバックミラーの角度調整自在に取付けてなる請求項２，３又は４記載のバックミラー付き自転車。
【考案の詳細な説明】
【技術分野】
【０００１】  この考案は、自転車のハンドルの前に取付けた買物カゴにバックミラーを設けた自転車に係るものである。
【背景技術】
【０００２】  従来のバックミラーは、バックミラーを、自転車などのハンドルに固定して上方に突出したバックミラー取付金属支柱の先端部に、取付けている。【０００３】  この従来のバックミラーの取付け方では、自転車のハンドルに上方に突出したバックミラー取付金属支柱が必要であるという問題点があるとともにハンドルに取付金属支柱などを取付け難いという問題点があった。更に、取付金属支柱など材料費や取付手間などが多くかかるという問題点があるとともに交通事故や自転車転倒の際に、この上方に突出している取付金属支柱と取付金属支柱の先端部に存在するバックミラーが自転車乗員の近くにあるために破損したバックミラー片や取付金属支柱により自転車乗員等の身体が傷つくおそれがあるいう問題点があるし、自転車を保管する時はバックミラーを外側に突出させたままなので保管し難いという問題点があった。
【特許文献１】  特開２０００−１１９２
【考案の開示】
【考案が解決しようとする課題】
【０００４】  この考案は、従来のバックミラー付き自転車が有するこれらの問題点を解消し、重くて長いバックミラー取付金属支柱を必要としないこと、取付けが容易で、かつ材料費や取付費手間などを軽減すること、交通事故や自転車転倒の際に自転車乗員等の身体が傷つくおそれをでるだけ減少すること、自転車を保管する時はバックミラーを外側に突出させたままにしないことなどである。
【問題を解決するための手段】
【０００５】  この考案のバックミラー付き自転車は、自転車の買物カゴの右側面と左側面との１方又は双方にバックミラーを自転車の前後方向から左右方向に開閉自在に取付けたものである。
【考案の効果】
【０００６】  この考案のバックミラー付き自転車は自転車の買物カゴの右側面と左側面との１方又は双方にバックミラーを自転車の前後方向から左右方向に開閉自在に取付けたから、このバックミラー付き自転車は重くて長いバックミラー取付金属支柱を必要としないという効果があるとともにバックミラーの取付けが容易で、かつ材料費や取付費手間などを軽減することできる。そして、交通事故や自転車転倒の際に自転車乗員等の身体が傷つくおそれを減少することできるし、自転車を使用後に保管する時は外側に突出させたバックミラーを閉じことにより自転車の保管場所を小さくすることできるとともにバックミラーのミラーが外側に突出していないためにバックミラーを破損するおそれを減少することできる。
【０００７】  請求項２のバックミラー付き自転車においては、バックミラーが、バックミラーの周囲縁部に夜光塗料の塗布部又は夜光塗料塗布テープの貼付部を設けたから、夜間に自転車で走行などしている時に自動車などの光線が夜光塗料の塗布部などに当って反射されるために自動車などの操縦者は自転車の存在が良く見えるとともに自転車乗員はバックミラーで後方より来る自動車などを良く確認することができるのでより安全に自転車を走行することができる。
【０００８】  請求項３のバックミラー付き自転車においては、自転車の買物カゴの右側面と左側面との１方又は双方に、バックミラーを内側に有する外枠を、自転車の前後方向から左右方向に開閉自在に取付けるとともにこの外枠の内側に有するバックミラーを、自転車の前後方向に回転自在に取付けたから、このバックミラー付き自転車は重くて長いバックミラー取付金属支柱を必要としないという効果があるとともにバックミラーの取付けが容易で、かつ材料費や取付費手間などを軽減することできる。そして、交通事故や自転車転倒の際に自転車乗員等の身体が傷つくおそれを減少することできるし、自転車を使用後に保管する時は外側に突出させたバックミラーを閉じことにより自転車の保管場所を小さくすることできるとともにバックミラーのミラーが外側に突出していないためにバックミラーを破損するおそれを減少することできる。更に、自転車乗員の身長などにより自転車乗員の目線の高さに応じてバックミラーの角度を垂直方向より例えば５度前方又は後方に回転することにより自転車乗員の目線が自転車の後方をバックミラーで最良の状態で見ることができる角度に調整することができる。
【０００９】  請求項４のバックミラー付き自転車においては、外枠の周囲縁部に夜光塗料の塗布部又は夜光塗料塗布テープの貼付部を設けたから、夜間に自転車で走行などしている時に自動車などの光線が外枠の周囲縁部に設けた夜光塗料の塗布部などに当って反射されるために自動車などの操縦者は自転車の存在が良く見えるのでより安全に自転車を走行することができる。
【００１０】  請求項５のバックミラー付き自転車においては、バックミラーを内側に有する外枠が外枠の上下中央で左右両側にボルト孔をそれぞれ設け、この両側のボルト孔に１本のボルトを挿入してボルトの先端をナットで支着するとともにこのボルトの軸部をバックミラーの裏面の止着してバックミラーを前後方向に回転自在に取付けたから、前記「０００８」欄記載の効果があるとともに外枠にボルト孔を設け、このボルト孔にボルトを挿入してナットで支着してこのボルトの軸部をバックミラーに止着するだけであるために外枠を簡単に組付けることができる。
【００１１】  請求項６のバックミラー付き自転車においては、バックミラーを内側に有する外枠が外枠の上下中央で左右両側に回転用軸受溝をそれぞれ設け、この両側の回転用軸受溝に、バックミラーの上下中央で左右両側に有する回転用軸を、それぞれ挿入してバックミラーを前後方向に回転自在に取付けたから、外枠に回転用軸受溝を設けるとともにバックミラーに回転用軸を設けてこの回転用軸受溝に回転用軸を挿入するだけであるために外枠を簡単に組付けることができる。
【００１２】  請求項７のバックミラー付き自転車においては、バックミラーの上部中央に停止用ボルトを設けるとともに外枠の上部中央で前後方向に所定の長さのボルト案内孔を設けて、この停止用ボルトのネジ部を外枠のボルト案内孔に挿入してバックミラーの角度調整自在に取付けたから、ボルト案内孔に沿って前後方向に移動して停止用ボルトで停止することができるためにバックミラーの角度調整を自由に変更することができるし、最良の角度にバックミラーを調整することができる。
【００１３】  請求項８のバックミラー付き自転車においては、バックミラーの下部中央に停止用ボルトを設けるとともに外枠の下部中央で前後方向に所定の長さのボルト案内孔を設けて、この停止用ボルトのネジ部を外枠のボルト案内孔に挿入してバックミラーの角度調整自在に取付けたから、ボルト案内孔に沿って前後方向に移動して停止用ボルトで停止することができるためにバックミラーの角度調整を自由に変更することができるし、最良の角度にバックミラーを調整することができる。
更に、停止用ボルトの頭部は下部に突出して設けたので、停止用ボルトの頭部が外枠の上に突出していないために商品や衣服などを買物カゴに入れる際に商品などが停止用ボルトの頭部に当ることがないから、商品などを損傷することがないという効果があるとともにバックミラーの外観が良いという効果がある。
【考案の発明を実施するための最良の形態】
【００１４】  バックミラー付き自転車は、自転車の買物カゴの右側面と左側面との１方又は双方にバックミラーを自転車の前後方向から左右方向に開閉自在に取付けたものである。
【実施例１】
【００１５】  バックミラー付き自転車は、、図１から図３に図示したように、自転車１のハンドル２の前で自転車の前輪の上方に買物カゴ３を設け、この買物カゴ３の右側に開閉自在にしたバックミラー４を取付ける。
このバックミラー４は左端部の上下に回転用孔４´，４´を設け、バックミラーの取付板５の右端部の上下に回転用孔５´，５´を設けて、この回転用孔４´と回転用孔５´とに回転用ピン６を挿入する。
この取付板５に所定の間隔を２か所にボルト用孔５″，５″を設け、買物カゴ３の内側に固定した買物カゴ取付板７にも取付板５に設けたと同じ位置にボルト用孔７″，７″を設けて、取付板５と買物カゴ取付板７のボルト用孔５″，７″にボルト８を通してナット９でバックミラー４を買物カゴ３に着脱自在に取付ける。更に、バックミラー４の周囲縁部に夜光塗料の塗布部１０を設けたバックミラー付き自転車１である。【００１６】  この実施例１のバックミラー付き自転車１はバックミラー４がバックミラー４の回転用孔４´と取付板５の回転用孔５´に挿入支着した回転用ピン６により自転車の前後方向から左右方向に開閉自在であり、バックミラー４はバックミラーの取付板５と買物カゴ取付板７との間に介在する買物カゴ３にボルト８とナット９とで取付け、取外し自在に取付ける。このバックミラー４は図２図３の開いた状態から図３の矢印方向にバックミラーを閉じることができる。
なお、この実施例１のバックミラー付き自転車では買物カゴの右側にバックミラーを取付けたものについて説明したが、バックミラーを買物カゴの左側又は左右両側に取付けてもよいし、バックミラーの周囲縁部に夜光塗料の塗布部を設けたものに代えて夜光塗料塗布テープの貼付部を設けてもよい。この夜光塗料の塗布部などをバックミラーの裏面に設けてもよい。
【実施例２】
【００１７】  バックミラー付き自転車は、図４から図６に図示のように、外枠１２の上下中央で左右両側にボルト孔１２´，１２´を設け、この外枠両側のボルト孔１２´，１２´にボルト１３を１側から他側に挿入してボルトの先端をナット１４で支着する。このボルト１３の軸部１３´をバックミラー１４の裏面に接着剤で止着してバックミラーが外枠１２に前後方向に回転自在に取付けるとともにバックミラーを内側に有する外枠１２の上面中央に前後方向に長い孔１５を設け、この長い孔１５からバックミラーのネジ溝１６にネジ１７を取付けたバックミラー１１である。
このバックミラーの外枠１２と取付板１８とを蝶番１９で接続し、この取付板１８を実施例１と同様に、買物カゴ取付板、買物カゴ（図示せず）に止具で取付けたバックミラー付き自転車である。【００１８】  この実施例２のバックミラー付き自転車はバックミラー１１の外枠１２が蝶番１９により自転車の前後方向から左右方向に開閉自在（図５矢印方向）であり、バックミラーがネジ１７を前後方向に長い孔１５に沿って前後方向に移動することによりバックミラーは自転車の前後方向に角度変更自在であるのでネジ１７を緩めた状態にして自転車乗員の目線に合わせてバックミラーを前後方向に所定角度、例えば垂直より約５度前方に長い孔１５に沿って角度変更した後に、ネジ１７を外枠１２に締付け固定して使用する。なお、長い孔１５の長さはバックミラーを前後方向に垂直より１０度位の角度変更する程度がよい。
【実施例３】
【００１９】  実施例３のバックミラー付き自転車は、図７図８に図示のように、バックミラー２１の上下中央で左右両側に軸部２１´，２１´を設けるとともに外枠２２の上下中央で左右両側に軸受孔２２´，２２´を設け、バックミラーの両側に設けた軸部２１´を外枠２２の両側に設けた軸受孔２２´にそれぞれ挿入してバックミラーが外枠に前後方向に回転自在に取付けるとともに外枠２２の上面中央に前後方向に長い孔２５を設け、バックミラー２１の上側中央にネジ溝２６を設けて外枠の長い孔２５からバックミラーのネジ溝２６にネジ２７を取付けたバックミラー２１である。
このバックミラーの外枠２２と取付板２８とを蝶番２９で接続し、この取付板２８を買物カゴの外側に設けた買物カゴ取付板（図示せず）に止具で取付けたバックミラー付き自転車である。【００２０】  この実施例３のバックミラー付き自転車はバックミラー２１の外枠２２が蝶番２９により自転車の前後方向から左右方向に開閉自在（図８矢印図示）であり、バックミラーが軸部２１´と軸受孔２２´とにより自転車の前後方向に角度変更自在であるので自転車乗員の目線を合わるようにネジ２７を緩めた状態にしてバックミラーを前後方向に所定角度、例えば垂直より約７度後方に長い孔２５に沿って角度変更した後に、ネジ２７を外枠２２に締付け固定して使用する。
【実施例４】
【００２１】  実施例４のバックミラー付き自転車は、図９の底面図図示のように、実施例３のバックミラーと異なるのは、外枠３２の下面中央に前後方向に長い孔３５を設け、この外枠の長い孔３５に、バックミラーに取付けたネジ３７を、挿入したバックミラーである。このバックミラーを実施例３と同様に外枠３２に蝶番３９を止具で取付けるとともに蝶番３９の反対側を取付板３８に止具で取付けて、この取付板３８と買物カゴの外側に設けた買物カゴ取付板（図示せず）とを止具で取付けたバックミラー付き自転車である。【００２２】  実施例４のバックミラー付き自転車は前記「００２０」欄に記載と同様に、自転車乗員の目線を合わるようにネジ３７を緩めた状態にしてバックミラーを前後方向に所定角度、例えば垂直より約３度後方に長い孔３５に沿って角度変更した後に、ネジ３７を外枠３２に締付け固定して使用する。
【図面の簡単な説明】
【００２３】
【図１】  本考案品の使用時の側面図である。
【図２】  同じく拡大要部の正面図である。
【図３】  同じく拡大要部の平面図である。
【図４】  別の考案品の拡大要部の正面図である。
【図５】  同じく拡大要部の平面図である。
【図６】  同じく拡大要部の背面図である。
【図７】  更に別の本考案品の拡大要部の正面図である。
【図８】  同じく拡大要部の平面図である。
【図９】  他の本考案品の拡大要部の底面図である。
【符号の説明】
【００２４】  １    自転車
２    ハンドル
３    買物カゴ
４    バックミラー
５    取付板
６    回転用ピン
７    買物カゴ取付板
８    ボルト
９    ナット
１０    夜光塗料塗布部
【図１】
0003145943.tif 000003
【図２】
0003145943.tif 000004
【図３】
0003145943.tif 000005
【図４】
0003145943.tif 000006
【図５】
0003145943.tif 000007
【図６】
0003145943.tif 000008
【図７】
0003145943.tif 000009
【図８】
0003145943.tif 000010
【図９】
0003145943.tif 000011